【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
光源から出射された光に基づく測定光を被検眼に対して走査を行う走査手段と、
前記被検眼への前記測定光におけるフォーカスを調整するフォーカス調整手段と、
前記被検眼からの前記測定光の戻り光に基づいて、前記被検眼の撮影に係る撮影画像を生成する画像生成手段と、
前記画像生成手段で生成された撮影画像を表示部に表示する制御を行う表示制御手段と、
前記フォーカス調整手段による前記フォーカスの調整に基づき定まる最大撮影可能範囲に応じて、前記被検眼の撮影範囲として、指定された矩形範囲である第１の撮影範囲、及び、指定された矩形範囲よりも範囲が狭く且つ前記最大撮影可能範囲に基づく曲線の部分を含む第２の撮影範囲のうちのいずれか一方の撮影範囲を設定する設定手段と、
を有することを特徴とする眼科撮影装置。
【請求項２】
前記走査手段は、略円形状のレンズを介して前記測定光を前記被検眼に対して走査を行うものであり、
前記画像生成手段は、前記略円形状のレンズ及び前記走査手段を介して通過した前記戻り光に基づいて前記撮影画像を生成するものであり、
前記第２の撮影範囲は、前記略円形状のレンズの形状に基づく前記曲線の部分を含む範囲であることを特徴とする請求項１に記載の眼科撮影装置。
【請求項３】
前記画像生成手段は、前記設定手段により前記第２の撮影範囲が設定された場合、前記矩形範囲のうちの当該第２の撮影範囲の範囲外の部分を所定値でマスクした前記撮影画像を生成することを特徴とする請求項１または２に記載の眼科撮影装置。
【請求項４】
前記画像生成手段は、前記設定手段により前記第２の撮影範囲が設定された場合、前記矩形範囲のうちの当該第２の撮影範囲の範囲外の部分の大きさが所定の閾値よりも大きいときには、当該部分については当該部分の光に基づき前記撮影画像を生成することを特徴とする請求項１または２に記載の眼科撮影装置。
【請求項５】
前記表示制御手段は、前記設定手段により設定された撮影範囲に基づく前記撮影画像を前記表示部に表示する制御を行うことを特徴とする請求項１乃至４のいずれか１項に記載の眼科撮影装置。
【請求項６】
前記測定光の光量を制御する光量制御手段を更に有し、
前記光量制御手段は、前記設定手段により前記第２の撮影範囲が設定された場合、前記走査手段が当該第２の撮影範囲の範囲外を走査する期間のうちの少なくとも一部の期間における前記光量を減少させる制御を行うことを特徴とする請求項１乃至５のいずれか１項に記載の眼科撮影装置。
【請求項７】
前記画像生成手段は、前記被検眼の観察を行うための観察光学系から出力された観察光に基づいて、観察画像を更に生成するものであり、
前記表示制御手段は、前記設定手段により設定された撮影範囲を前記観察画像に重畳させて前記表示部に表示する制御を更に行うことを特徴とする請求項１乃至６のいずれか１項に記載の眼科撮影装置。
【請求項８】
前記光源から出射された光を前記測定光と参照光とに分割する光分割手段と、
前記戻り光と前記参照光とを合波する合波手段と、
を更に有し、
前記画像生成手段は、前記合波手段により合波された干渉光に基づいて、前記撮影画像として断層画像を生成することを特徴とする請求項１乃至７のいずれか１項に記載の眼科撮影装置。
【請求項９】
前記表示制御手段は、前記走査手段が前記走査としてラスタ走査を行う場合、前記走査手段が前記設定手段により設定された撮影範囲を主走査方向に走査することによって得られる前記断層画像であって、当該撮影範囲の副走査方向における中心の位置と両端の位置との少なくとも３つの断層画像を並べて前記表示部に表示する制御を行うことを特徴とする請求項８に記載の眼科撮影装置。
【請求項１０】
前記設定手段は、前記走査手段が前記走査としてラスタ走査を行う場合、前記矩形範囲を前記最大撮影可能範囲に外接するまで設定可能とすることを特徴とする請求項１乃至９のいずれか１項に記載の眼科撮影装置。
【請求項１１】
前記走査手段は、前記走査として、ラスタ走査またはラジアル走査を行うことを特徴とする請求項１乃至８のいずれか１項に記載の眼科撮影装置。
【請求項１２】
前記設定手段は、前記最大撮影可能範囲に前記指定された矩形範囲が含まれる場合には、前記指定された矩形範囲を前記第１の撮影範囲として設定し、前記指定された矩形範囲の一部が前記最大撮影可能範囲よりも外側に位置する場合には、前記第２の撮影範囲を設定することを特徴とする請求項１乃至１１のいずれか１項に記載の眼科撮影装置。
【請求項１３】
前記表示制御手段は、前記第１の撮影範囲が設定された場合には、前記第１の撮影範囲に対応する前記撮影画像を表示するように前記表示部を制御し、前記第２の撮影範囲が設定された場合には、前記第２の撮影範囲に対応する前記撮影画像を表示するように前記表示部を制御し、
前記第１の撮影範囲に対応する撮影画像および前記第２の撮影範囲に対応する撮影画像は、前記走査手段を共通に用いることで取得されることを特徴とする請求項１乃至１２のいずれか１項に記載の眼科撮影装置。
【請求項１４】
光源から出射された光に基づく測定光を被検眼に対して走査を行う走査手段と、
前記被検眼からの前記測定光の戻り光に基づいて、前記被検眼の撮影に係る撮影画像を生成する画像生成手段と、
第１の撮影範囲と第２の撮影範囲とを含む複数の撮影範囲のいずれかを前記被検眼の撮影範囲として設定する設定手段であって、所定範囲の内側の前記第１の撮影範囲と、前記第１の撮影範囲とは異なる形状であり、且つ前記所定範囲を示す境界のうち少なくとも一部の境界を含む境界で示される形状である前記第２の撮影範囲とのいずれかを設定する設定手段と、
前記第１の撮影範囲が設定された場合には、前記第１の撮影範囲に対応する前記撮影画像を表示するように表示部を制御し、前記第２の撮影範囲が設定された場合には、前記第２の撮影範囲に対応する前記撮影画像を表示するように前記表示部を制御する表示制御手段と、
を有し、
前記第１の撮影範囲に対応する撮影画像および前記第２の撮影範囲に対応する撮影画像は、前記走査手段を共通に用いることで取得されることを特徴とする眼科撮影装置。
【請求項１５】
前記少なくとも一部の境界は、曲線であることを特徴とする請求項１４に記載の眼科撮影装置。
【請求項１６】
前記第２の撮影範囲が設定された場合、前記第２の撮影範囲よりも広い範囲で前記撮影画像が取得された後、前記所定範囲よりも外側における前記撮影画像に対してマスク処理が施されることを特徴とする請求項１４または１５に記載の眼科撮影装置。
【請求項１７】
前記第１の撮影範囲は、前記被検眼の観察画像上で撮影を望む範囲として示されることを特徴とする請求項１乃至１６のいずれか１項に記載の眼科撮影装置。
【請求項１８】
光源から出射された光に基づく測定光を被検眼に対して走査を行う走査手段と、
前記被検眼への前記測定光におけるフォーカスを調整するフォーカス調整手段と、
前記被検眼からの前記測定光の戻り光に基づいて、前記被検眼の撮影に係る撮影画像を生成する画像生成手段と、
前記画像生成手段で生成された撮影画像を表示部に表示する制御を行う表示制御手段と、
前記フォーカス調整手段による前記フォーカスの調整に基づき定まる最大撮影可能範囲に応じて、前記被検眼の撮影範囲として、指定された矩形範囲である第１の撮影範囲、及び、指定された矩形範囲よりも範囲が狭く且つ前記最大撮影可能範囲に基づく曲線の部分を含む第２の撮影範囲のうちのいずれか一方の撮影範囲を設定する設定手段と、
を有することを特徴とする眼科撮影システム。
【請求項１９】
光源から出射された光に基づく測定光を被検眼に対して走査を行う走査手段と、
前記被検眼からの前記測定光の戻り光に基づいて、前記被検眼の撮影に係る撮影画像を生成する画像生成手段と、
第１の撮影範囲と第２の撮影範囲とを含む複数の撮影範囲のいずれかを前記被検眼の撮影範囲として設定する設定手段であって、所定範囲の内側の前記第１の撮影範囲と、前記第１の撮影範囲とは異なる形状であり、且つ前記所定範囲を示す境界のうち少なくとも一部の境界を含む境界で示される形状である前記第２の撮影範囲とのいずれかを設定する設定手段と、
前記第１の撮影範囲が設定された場合には、前記第１の撮影範囲に対応する前記撮影画像を表示するように表示部を制御し、前記第２の撮影範囲が設定された場合には、前記第２の撮影範囲に対応する前記撮影画像を表示するように前記表示部を制御する表示制御手段と、
を有し、
前記第１の撮影範囲に対応する撮影画像および前記第２の撮影範囲に対応する撮影画像は、前記走査手段を共通に用いることで取得されることを特徴とする眼科撮影システム。
【請求項２０】
光源から出射された光に基づく測定光を被検眼に対して走査を行う走査手段と、前記被検眼への前記測定光におけるフォーカスを調整するフォーカス調整手段とを備える眼科撮影装置の制御方法であって、
前記被検眼からの前記測定光の戻り光に基づいて、前記被検眼の撮影に係る撮影画像を生成する画像生成ステップと、
前記画像生成ステップで生成された撮影画像を表示部に表示する制御を行う表示制御ステップと、
前記フォーカス調整手段による前記フォーカスの調整に基づき定まる最大撮影可能範囲に応じて、前記被検眼の撮影範囲として、指定された矩形範囲である第１の撮影範囲、及び、指定された矩形範囲よりも範囲が狭く且つ前記最大撮影可能範囲に基づく曲線の部分を含む第２の撮影範囲のうちのいずれか一方の撮影範囲を設定する設定ステップと
を有することを特徴とする眼科撮影装置の制御方法。
【請求項２１】
光源から出射された光に基づく測定光を被検眼に対して走査を行う走査手段を備える眼科撮影装置の制御方法であって、
前記被検眼からの前記測定光の戻り光に基づいて、前記被検眼の撮影に係る撮影画像を生成する画像生成ステップと、
第１の撮影範囲と第２の撮影範囲とを含む複数の撮影範囲のいずれかを前記被検眼の撮影範囲として設定する設定ステップであって、所定範囲の内側の前記第１の撮影範囲と、前記第１の撮影範囲とは異なる形状であり、且つ前記所定範囲を示す境界のうち少なくとも一部の境界を含む境界で示される形状である前記第２の撮影範囲とのいずれかを設定する設定ステップと、
前記第１の撮影範囲が設定された場合には、前記第１の撮影範囲に対応する前記撮影画像を表示するように表示部を制御し、前記第２の撮影範囲が設定された場合には、前記第２の撮影範囲に対応する前記撮影画像を表示するように前記表示部を制御する表示制御ステップと、
を有し、
前記第１の撮影範囲に対応する撮影画像および前記第２の撮影範囲に対応する撮影画像は、前記走査手段を共通に用いることで取得されることを特徴とする眼科撮影装置の制御方法。
【請求項２２】
コンピュータに、請求項２０または２１に記載の眼科撮影装置の制御方法における各ステップを実行させるためのプログラム。
【手続補正２】
【補正対象書類名】明細書
【補正対象項目名】発明の名称
【補正方法】変更
【補正の内容】
【発明の名称】眼科撮影装置及びその制御方法、眼科撮影システム、並びに、プログラム
【手続補正３】
【補正対象書類名】明細書
【補正対象項目名】０００１
【補正方法】変更
【補正の内容】
【０００１】
本発明は、被検眼の撮影を行う眼科撮影装置及びその制御方法、眼科撮影システム、並びに、プログラムに関するものである。
【手続補正４】
【補正対象書類名】明細書
【補正対象項目名】０００７
【補正方法】変更
【補正の内容】
【０００７】
本発明の眼科撮影装置は、光源から出射された光に基づく測定光を被検眼に対して走査を行う走査手段と、前記被検眼への前記測定光におけるフォーカスを調整するフォーカス調整手段と、前記被検眼からの前記測定光の戻り光に基づいて、前記被検眼の撮影に係る撮影画像を生成する画像生成手段と、前記画像生成手段で生成された撮影画像を表示部に表示する制御を行う表示制御手段と、前記フォーカス調整手段による前記フォーカスの調整に基づき定まる最大撮影可能範囲に応じて、前記被検眼の撮影範囲として、指定された矩形範囲である第１の撮影範囲、及び、指定された矩形範囲よりも範囲が狭く且つ前記最大撮影可能範囲に基づく曲線の部分を含む第２の撮影範囲のうちのいずれか一方の撮影範囲を設定する設定手段と、を有する。
本発明の眼科撮影装置における他の態様は、光源から出射された光に基づく測定光を被検眼に対して走査を行う走査手段と、前記被検眼からの前記測定光の戻り光に基づいて、前記被検眼の撮影に係る撮影画像を生成する画像生成手段と、第１の撮影範囲と第２の撮影範囲とを含む複数の撮影範囲のいずれかを前記被検眼の撮影範囲として設定する設定手段であって、所定範囲の内側の前記第１の撮影範囲と、前記第１の撮影範囲とは異なる形状であり、且つ前記所定範囲を示す境界のうち少なくとも一部の境界を含む境界で示される形状である前記第２の撮影範囲とのいずれかを設定する設定手段と、前記第１の撮影範囲が設定された場合には、前記第１の撮影範囲に対応する前記撮影画像を表示するように表示部を制御し、前記第２の撮影範囲が設定された場合には、前記第２の撮影範囲に対応する前記撮影画像を表示するように前記表示部を制御する表示制御手段と、を有し、前記第１の撮影範囲に対応する撮影画像および前記第２の撮影範囲に対応する撮影画像は、前記走査手段を共通に用いることで取得される。
また、本発明は、上述した眼科撮影装置の制御方法、上述した眼科撮影装置に対応する眼科撮影システム、並びに、当該制御方法をコンピュータに実行させるためのプログラムを含む。